(57)【特許請求の範囲】
【請求項１】
超電導磁石装置の走行に伴って前記超電導磁石装置に誘起される振動モードを点検し、前記超電導磁石装置内の超電導コイルの及ぼす変形負担に応じて荷重支持材の形状を設定することを特徴とする超電導磁石装置の荷重支持材であって、前記超電導磁石装置内にトラック形状の４つの超電導コイルを長円方向に揃えて同一平面内に配置し、左端を第１番目の超電導コイルとし、右端を第４番目の超電導コイルとした配置とし、前記超電導磁石装置と振動が同位相である、第１番目の超電導コイル及び第４番目の超電導コイルの荷重支持材を細くすることを特徴とする超電導磁石装置の荷重支持材。
【請求項２】
請求項１記載の超電導磁石装置の荷重支持材において、前記超電導磁石装置と振動が逆位相である、第２番目の超電導コイル及び第３番目の超電導コイルの荷重支持材は前記第１番目の超電導コイル及び前記第４番目の超電導コイルの荷重支持材に比べて太くすることを特徴とする超電導磁石装置の荷重支持材。
【発明の詳細な説明】
【技術分野】
【０００１】
本発明は、超電導磁石装置の荷重支持材に関するものである。
【背景技術】
【０００２】
図３は従来の超電導磁石装置の荷重支持材を示す図である。
この図において、１０１は超電導コイル、１０２は内槽容器、１０２ａはレーストラック部分（超電導コイルの収納部）、１０２ｂは電磁力サポート部、１０３は熱シールド板、１０４は外槽容器、１０５は荷重支持材である。
超電導磁気浮上式鉄道用車両に搭載する超電導磁石装置の荷重支持材の役割は、地上コイルが超電導磁石装置内の超電導コイルに及ぼす推進・浮上・案内の各作用を、超電導磁石装置の外槽に伝えることである。超電導磁石装置の外槽に伝わった推進・浮上・案内の各作用は、超電導磁石装置の外槽が取り付いた台車枠を介して車体に伝わり、車両の走行が可能となる。
【０００３】
従来、超電導磁石装置の荷重支持材は、伝えるべき作用の種別（推進・浮上・案内）が同じならば、超電導磁石装置において使用する部位が異なっても異なった規格のものは採用せず、超電導磁石装置の強度を確保していた（下記特許文献１参照）。
また、超電導コイルの振動モードを反映した荷重支持材であって、４つの内槽の内、少なくとも１つについて荷重支持材を調整して共振周波数をずらし、４つの内槽が同時に共振して発熱することを避けるようにしたもの（下記特許文献２参照）が提案されている。
【特許文献１】特許第２９３１１６８号公報
【特許文献２】特許第３３０４７６１号公報
【発明の開示】
【発明が解決しようとする課題】
【０００４】
しかしながら、荷重支持材を経由して超電導磁石装置に侵入する熱量について考えると、上記特許文献１のように荷重支持材に異なった規格のものを採用しないとすると、変形負担の比較的小さい部位では荷重支持材が必要以上に太く、熱侵入量が大きくなってしまうという問題があった。
一方、上記特許文献２は、速度に比例した周波数の加振である、走行によって内槽が共振することに伴う動的発熱への対策であるが、走行しなくても外部から常時侵入してくる熱量（静置熱侵入量）への対策に関して問題があった。
【０００５】
また、（１）特許文献２においては、内槽の共振周波数に着目しているが、本発明では、これに沿いながら、内槽に外槽を加えた超電導磁石装置全体の振動モードに着目している。
（２）特許文献２においては、内槽の共振周波数をずらすために、荷重支持材を調整するが、本発明では、内槽の共振周波数をも反映した上で、超電導磁石装置全体の振動モードにおける変形負担の大小に応じて荷重支持材を調整する。
【０００６】
（３）特許文献２においては、どの部位の荷重支持材を調整したらよいか明らかにされていないが、本発明は、調整すべき荷重支持材を明らかにし、振動モードにおける変形負担の大小に応じて調整を行うようにしたものである。
本発明は、上記状況に鑑みて、超電導磁石装置の振動モードを反映することにより、強度を確保しつつ、熱侵入量の低減を図ることができる超電導磁石装置の荷重支持材を提供することを目的とする。
【課題を解決するための手段】
【０００７】
本発明は、上記目的を達成するために、
〔１〕超電導磁石装置の荷重支持材において、超電導磁石装置の走行に伴って前記超電導磁石装置に誘起される振動モードを点検し、前記超電導磁石装置内の超電導コイルの及ぼす変形負担に応じて荷重支持材の形状を設定することを特徴とする超電導磁石装置の荷重支持材であって、前記超電導磁石装置内にトラック形状の４つの超電導コイルを長円方向に揃えて同一平面内に配置し、左端を第１番目の超電導コイルとし、右端を第４番目の超電導コイルとした配置とし、前記超電導磁石装置と振動が同位相である、第１番目の超電導コイル及び第４番目の超電導コイルの荷重支持材を細くすることを特徴とする。
【０００８】
〔２〕上記〔１〕記載の超電導磁石装置の荷重支持材において、前記超電導磁石装置と振動が逆位相である、第２番目の超電導コイル及び第３番目の超電導コイルの荷重支持材は前記第１番目の超電導コイル及び前記第４番目の超電導コイルの荷重支持材に比べて太くすることを特徴とする。
超電導磁気浮上式鉄道用車両に搭載する超電導磁石装置には、走行に伴って特定の振動モードが誘起される。その際、変形の度合いや応力の程度は、超電導磁石装置の部位によって異なる。したがって、荷重支持材の変形負担は、超電導磁石装置において使用する部位毎に異なる。
【０００９】
そこで、超電導磁石装置の走行に伴って誘起される振動モードを点検し、変形負担の大きな部位に使用する荷重支持材は、その大きな変形負担に耐えられるよう太めの規格を採用するが、変形負担の小さな部位に使用する荷重支持材は、その小さな変形負担に耐えられればいいので細めの規格を採用する。
熱侵入量は荷重支持材の太さによって決まるので、これまでのように全てに太めの規格を採用するのではなく、今後は一部に細めの規格を採用することにより、超電導磁石装置全体としての熱侵入量を低減することができる。
【発明の効果】
【００１０】
本発明によれば、次のような効果を奏することができる。
（１）超電導磁石装置の走行に伴って誘起される振動モードに応じて荷重支持材の形状を設定することによって、超電導磁石装置全体としての熱侵入量を減らすことができ、超電導磁石装置を冷却するための冷凍機に対する負荷が減るので、冷凍機の電力消費を減らすことができる。
【００１１】
（２）冷凍機は冷凍能力の小さなものを用意すればいいので、冷凍機が簡素化できる。
【発明を実施するための最良の形態】
【００１２】
本発明の超電導磁石装置の荷重支持材は、超電導磁石装置の走行に伴って前記超電導磁石装置に誘起される振動モードを点検し、前記超電導磁石装置内の超電導コイルの及ぼす変形負担に応じて荷重支持材の形状を設定することを特徴とする超電導磁石装置の荷重支持材であって、前記超電導磁石装置内にトラック形状の４つの超電導コイルを長円方向に揃えて同一平面内に配置し、左端を第１番目の超電導コイルとし、右端を第４番目の超電導コイルとした配置とし、前記超電導磁石装置と振動が同位相である、第１番目の超電導コイル及び第４番目の超電導コイルの荷重支持材を細くするようにしたものである。
【実施例】
【００１３】
以下、本発明の実施の形態について詳細に説明する。
超電導磁気浮上式鉄道用車両に搭載する超電導磁石装置には、走行に伴って特定の振動モードが誘起される。その際、変形の度合いや応力の程度は、超電導磁石装置の部位によって異なる。したがって、荷重支持材の変形負担は、超電導磁石装置において使用する部位毎に異なる。以下それについて説明する。
【００１４】
図１は本発明にかかる超電導磁石装置を横から見た模式図、図２は本発明に係る超電導磁石装置の走行に伴って誘起される振動モードの実測例を上から見た模式図である。
図１において、超電導磁石装置１はトラック形状のＣ１コイル２からＣ４コイル５までの４つの超電導コイルを同一平面内に内蔵している。
図２に示すように、内蔵している超電導コイル（Ｃ１コイル２からＣ４コイル５）は、超電導磁石装置１の外に出して見やすくしている。なお、ここではＣ１コイル２とＣ２コイル３は実測の対象としていない。すなわち、図２において、２つの山と１つの谷のある折れ線が超電導磁石装置１の変形した外槽を厚さは無視して表し、斜め線２本が各々超電導磁石装置１に内蔵された超電導コイル（Ｃ３コイルとＣ４コイル）を厚さは無視して表している。なお、超電導コイル（Ｃ１コイルとＣ２コイル）は表記を省略している。超電導コイル（Ｃ３コイル）はこれが納められる箇所の外槽と図２において傾きが逆であって逆位相の振動であるが、超電導コイル（Ｃ４コイル）はこれが納められる箇所の外槽と図２において傾きが同じであって同位相の振動である。
【００１５】
図２に示すように、Ｃ３コイル４では、超電導磁石装置１と内蔵している超電導コイルの動きは逆位相であるが、Ｃ４コイル５では、超電導磁石装置１と内蔵している超電導コイルの動きは同位相である。このように、Ｃ３コイル４（対称性からＣ２コイル３も同様）の荷重支持材の変形負担は大きいが、Ｃ４コイル５（対称性からＣ１コイル２も同様）の荷重支持材の変形負担は小さい。
【００１６】
したがって、図１において、Ｃ２コイル３とＣ３コイル４の荷重支持材６には太めの規格を、Ｃ１コイル２とＣ４コイル５の荷重支持材７には細めの規格を採用すればよい。
このように、超電導磁石装置の荷重支持材のうち、一部に細めの規格を採用するようにしたので、超電導磁石装置全体としての熱侵入を低減させることができる。
上記したように、超電導磁石装置の走行に伴って誘起される振動モードを点検し、変形負担の大きな部位に使用する荷重支持材は、その大きな変形負担に耐えられるよう太めの規格を採用するが、変形負担の小さな部位に使用する荷重支持材は、その小さな変形負担に耐えられるだけの細めの規格を採用する。
【００１７】
熱侵入量は荷重支持材の太さによって決まるので、これまでのように全てに太めの規格を採用するのではなく、今後は一部に細めの規格を採用することにより、超電導磁石装置全体としての熱侵入量を低減することができる。
なお、本発明は上記実施例に限定されるものではなく、本発明の趣旨に基づき種々の変形が可能であり、これらを本発明の範囲から排除するものではない。
【産業上の利用可能性】
【００１８】
本発明の超電導磁石装置の荷重支持材は、超電導磁石装置の振動モードを反映することにより、強度を確保しつつ、熱侵入量の低減を図ることができる超電導磁石装置の荷重支持材として利用することができる。
【図面の簡単な説明】
【００１９】
【図１】本発明にかかる超電導磁石装置を横から見た模式図である。
【図２】本発明にかかる超電導磁石装置の走行に伴って誘起される振動モードの実測例を上から見た模式図である。
【図３】従来の超電導磁石装置の荷重支持材を示す模式図である。
【符号の説明】
【００２０】
１    超電導磁石装置
２    Ｃ１コイル
３    Ｃ２コイル
４    Ｃ３コイル
５    Ｃ４コイル
６    Ｃ２コイルとＣ３コイルの荷重支持材
７    Ｃ１コイルとＣ４コイルの荷重支持材
【図１】
0005259151.tif 000002
【図２】
0005259151.tif 000003
【図３】
0005259151.tif 000004